(57)【要約】      （修正有）【課題】電子レンジ機器内で簡単に調理加熱でき、加熱直後の容器自体でもこれを安全に手指で持つことができ、また容器の壁部を撓ませることなく挟持できる食品収納兼加熱用の紙製容器を提供する。【解決手段】底壁部の周囲で囲繞する前後壁部２，４、左右壁部３，５を立脚状に連設し、折り畳み可能な外部折畳片６，７を、対峙する左右壁部３，５の外側面に折畳内側接着部６ａ，７ａによって対状に接着し、蓋片１５によって開口部を閉塞する紙製容器を形成する。左右壁部３，５に接着した外部折畳片６，７，の折畳部分である折畳外側片部６ｂ，７ｂに、容器本体の外側方に延びる摘み片１０を折返し可能に設ける。また、前後壁部２，４それぞれには、左右壁部３，５の内側面に片縁が当接するよう容器内方に折り込む折込規制片１４を連設し、この折込規制片１４には左右壁部３，５から連設した蓋片１５を被せてあって左右壁部３，５が外力によって内方に撓まないようにしている。【選択図】図４
0003176852.tif 000002
【実用新案登録請求の範囲】
【請求項１】
底壁部の周囲の前後左右で囲繞する前後壁部、左右壁部それぞれを立脚状に連設すると共に、これらの隣接する各壁部相互間に連設することで配した三角形状で折り畳み可能な外部折畳片を、対峙するいずれかの一方の壁部の外側面に、外部折畳片の一方の折畳部分である折畳内側接着片部によって接着すると共に、対峙する壁部から連設した蓋片によって開口部を閉塞して成る紙製容器において、壁部の外側面に接着した外部折畳片における他方の折畳部分である折畳外側片部に、容器本体の外側方に延びる摘み片が折返し可能にして設けられているか、外部折畳片が接着されないで対峙しているいずれか他方の壁部それぞれには、外部折畳片が接着されることで対峙している前記いずれか一方の壁部から連設されて開口部を覆う前記蓋片が被せられ、また、このいずれか一方の壁部の内側面に片縁が当接するよう容器内方に折り込まれる折込規制片が連設されているかしてあることを特徴とする食品収納兼加熱用の紙製容器。
【請求項２】
底壁部の周囲の前後左右で囲繞する前後壁部、左右壁部それぞれを立脚状に連設すると共に、これらの隣接する各壁部相互間に連設することで配した三角形状で折り畳み可能な外部折畳片を、対峙するいずれかの一方の壁部の外側面に、外部折畳片の一方の折畳部分である折畳内側接着片部によって接着すると共に、対峙する壁部から連設した蓋片によって開口部を閉塞して成る紙製容器において、壁部の外側面に接着した外部折畳片における他方の折畳部分である折畳外側片部に、容器本体の外側方に延びる摘み片が折返し可能にして設けられていることを特徴とする食品収納兼加熱用の紙製容器。
【請求項３】
底壁部の周囲の前後左右で囲繞する前後壁部、左右壁部それぞれを立脚状に連設すると共に、これらの隣接する各壁部相互間に連設することで配した三角形状で折り畳み可能な外部折畳片を、対峙するいずれかの一方の壁部の外側面に、外部折畳片の一方の折畳部分である折畳内側接着片部によって接着すると共に、対峙する壁部から連設した蓋片によって開口部を閉塞して成る紙製容器において、外部折畳片が接着されないで対峙しているいずれか他方の壁部それぞれには、外部折畳片が接着されることで対峙している前記いずれか一方の壁部から連設されて開口部を覆う前記蓋片が被せられ、また、このいずれか一方の壁部の内側面に片縁が当接するよう容器内方に折り込まれる折込規制片が連設されていることを特徴とする食品収納兼加熱用の紙製容器。
【請求項４】
前記摘み片は、容器の中心位置に対して対称位置に配されている外部折畳片における折畳外側片部に少なくとも対状にして形成されている請求項１または２に記載の食品収納兼加熱用の紙製容器。
【請求項５】
摘み片は、折畳外側片部における先端部分を、外部折畳片が連設されているところの対峙する一方の壁部における他方の壁部との境界である側縁の上端位置をそれぞれ通り、折畳内側接着片部との境界に至る折返し線によって外方に折り曲げる区域として形成されている請求項１または２または４に記載の食品収納兼加熱用の紙製容器。
【請求項６】
前記蓋片には、容器自体の開口部のほぼ半ば位置で相互に噛み合うようにした切り込み状の噛み合い部を先端縁のほぼ中央位置に設けてある請求項１乃至５のいずれかに記載の食品収納兼加熱用の紙製容器。
【考案の詳細な説明】
【技術分野】
【０００１】
この考案は、各種の調理済食品が冷蔵・冷凍状態でたとえばコンビニエンスストア、スーパーマーケット等で陳列販売され、購入者においてその後に例えば電子レンジ機器などで加熱されるとき、そのままで食品等を移し替えることなく電子レンジ機器内で簡単に調理加熱でき、また、加熱直後で熱くなっている容器であってもこれを手指によって安全に持つことができ、容器からの直接の喫食も容易であるようにした食品収納兼加熱用の紙製容器に関する。
【背景技術】
【０００２】
従来から、耐熱、耐水性等があるようにした紙材を主素材とし、電子レンジ機器による加熱が可能となるよう包装された各種のボックス状の食品容器が提案されており、例えば、特許文献１に係る板紙容器であり、特許文献２に係る食品収納及び調理用紙製容器である。特許文献１の板紙容器は、図５に概略的に示されるように、四辺形状の底部の各辺に前後左右の周囲壁を連設し、その隣接する周囲壁相互間に折り曲げられることで三角形状に重ね合わせられ、例えば左右壁１０２外側面に接着される折込片１０３を連設形成すると共に、前後壁１０１の上縁に互いに連結される対となる蓋片１０４を連設して成る。特許文献２に係る紙製容器は、図６に示されるように、図５に示される板紙容器における左右壁１０２に接着される折込片１０３内に、左右壁１０２から連設した把手部１０５を備えた切込片１０６を挿入することで左右壁１０２と折込片１０３とを固定して成る。
【先行技術文献】
【特許文献】
【０００３】
【特許文献１】特開２０００−２３８７４８号公報
【特許文献２】特開２００８−６８８８５号公報
【考案の概要】
【考案が解決しようとする課題】
【０００４】
ところが、特許文献１に係る板紙容器は、図５に示されるように折込片１０３が接着される左右壁１０２をこれの外側から手指等で押してしまうと、重ね合わせられている対状の折込片１０３内側面相互間が接合されていないことから、左右壁１０２が容器の内方に撓んでしまう。例えば手指によって容器自体を左右方向から挟み込むようにして持ち上げると、その折込片１０３が接着されている左右壁１０２が互いに内方に撓んでしまい、容器自体の周囲壁が上部に至るに伴い末広がり状に形成されることで持ち上げ容易となっていても、内容物の重量及び容器外側面の円滑面化処理とも相俟ち、容器が手指内から滑り落ちてしまうこともある。しかも、例えば食品内容物を電子レンジ機器によって加熱すべく容器のままで加熱した場合には、容器自体が高熱化して手指による直接の接触が困難となるから、それが加熱状態にあるときには十分に冷却されるまで待たなければならないから、同様に面倒である。
【０００５】
また、特許文献２に係る食品容器では、特許文献１におけるような左右壁１０２の容器内方への撓みは、折込片１０３に対する切込片１０６の挿入によって固定されていることで防止されていても、左右壁１０２から連設した切込片１０６を折込片１０３内に挿入し、噛み合わせる必要があるから組立は面倒である。また、この容器自体を持ち上げる等するときには、左右壁１０２の上縁に容器の外側に折返し状に形成した把手部１０５によって持ち上げ可能となっていても、この把手部１０５の容器外部への突出幅員は大きくはないから、電子レンジ加熱によって噴出される水蒸気によって熱くなり、十分な冷却後でなければ把手部１０５によって持つことはできない。そればかりでなく、この把手部１０５が側方に出張っていることで、食品を収納して販売するよう包装するに際し、また並べて陳列するに際しても、把手部１０５が邪魔になり、取扱いは面倒なものとなる。
【０００６】
尚、本考案者が実際の電子レンジ機器によって、例えばこれらの特許文献１あるいは２の容器において、２００ｃｃの水を入れ、１０００Ｗの出力がある電子レンジ機器によって３分間加熱し、その加熱直後の容器における外側面の温度を計測したところ、前後壁部分の外側面では約８５℃、三角形状の折込片部分の外側面では５０〜７３℃であった。このような高温状態であれば、手指によって直接触れることは危険であり、触れた場合には火傷を負うことは明らかであった。
【０００７】
そこでこの考案は上述したような従来存した諸事情に鑑み案出されたもので、その目的は、所定肉厚のシート状の板紙素材によって各種食品を収納できる蓋付きのボックス状に形成して、容器内に収納した食品等を容器内に収納したままで電子レンジ機器によって加熱したとき、この加熱直後で周囲壁が熱くなっていても、周囲壁から離れて形成されている摘み片によって持ち上げることができて火傷等を負うことなく安全に取り扱うことができ、しかも、周囲壁のいずれの方向から外力が負荷されてもこれによって容器内方に撓むことがなく、取り扱いが容易であるようにした食品収納兼加熱用の紙製容器を提供することにある。
【課題を解決するための手段】
【０００８】
上述した課題を解決するため、この考案にあっては、後述する考案を実施するための形態における使用符号を付記して説明すると、底壁部１の周囲の前後左右で囲繞する前後壁部２，４、左右壁部３，５それぞれを立脚状に連設すると共に、これらの隣接する各壁部２，３，４，５相互間に連設することで配した三角形状で折り畳み可能な外部折畳片６，７，８，９を、対峙するいずれかの一方の壁部（３，５）の外側面に、外部折畳片６，７，８，９の一方の折畳部分である折畳内側接着片部６ａ，７ａ，８ａ，９ａによって接着すると共に、対峙する壁部２，４あるいは３，５から連設した蓋片１５によって開口部を閉塞して成る紙製容器において、壁部（３，５）の外側面に接着した外部折畳片６，７，８，９における他方の折畳部分である折畳外側片部６ｂ，７ｂ，８ｂ，９ｂに、容器本体の外側方に延びる摘み片１０が折返し可能にして設けられているか、外部折畳片６，７，８，９が接着されないで対峙しているいずれか他方の壁部（２，４）それぞれには、外部折畳片６，７，８，９が接着されることで対峙している前記いずれか一方の壁部（３，５）から連設されて開口部を覆う前記蓋片１５が被せられ、また、このいずれか一方の壁部（３，５）の内側面に片縁が当接するよう容器内方に折り込まれる折込規制片１４が連設されているかしてあることを特徴とする。
また、外部折畳片６，７，８，９は、左右壁部３，５の外側面に接着されることなく、前後壁部２，４に接着されることでも良く、この場合には、蓋片１５は前後壁部２，４に、折込規制片１４は左右壁部３，５にそれぞれ連設されるものとされ、要は、外部折畳片６，７，８，９が接着されるところの対峙している前後壁部２，４あるいは左右壁部３，５に蓋片１５が、外部折畳片６，７，８，９が接着されていないところの左右壁部３，５あるいは前後壁部２，４に折込規制片１４が連設される。
前記摘み片１０は、容器の中心位置に対して対称位置に配されている外部折畳片６，７，８，９における折畳外側片部７ｂ，９ｂあるいは６ｂ，８ｂに少なくとも対状にして形成されることで構成することができる。
また、摘み片１０は、折畳外側片部６ｂ，７ｂ，８ｂ，９ｂにおける先端部分を、外部折畳片６，７，８，９が連設されているところの対峙する一方の壁部２，４あるいは３，５における他方の壁部３，５あるいは２，４との境界である側縁の上端位置をそれぞれ通り、折畳内側接着片部６ａ，７ａ，８ａ，９ａとの境界に至る折返し線１１によって外方に折り曲げる区域として形成されていることで構成することができる。
前記蓋片１５には、容器自体の開口部のほぼ半ば位置で相互に噛み合うようにした切り込み状の噛み合い部１６を先端縁のほぼ中央位置に有して構成することができる。
【０００９】
以上のように構成されたこの考案に係る食品収納兼加熱用の紙製容器にあって、容器内に収納した所定の食品Ｆを、容器に収納したままで電子レンジ機器による加熱処理によって加熱でき、加熱終了後では容器の外方に延びている摘み片１０の把持によって熱くなっている容器自体の熱影響を受けずに持ち上げて取り出させ、容器における折込規制片１４が容器の内部から容器自体を保形させることで、外部からの押圧作用でもこれによって歪形されず、容器形状を維持させる。
摘み片１０は、容器自体の本体部分から外側方に延びるように外部折畳片６，７，８，９における折畳外側片部６ｂ，７ｂ，８ｂ，９ｂの先端部分に折返し形成されることで、容器が加熱された結果で高温状態となっていてもその熱影響を受けず、手指による把持を可能にして容器を安全に持ち上げさせる。
外部折畳片６，７，８，９は、これが接着されるところのいずれか一方の対峙する壁部３，５あるいは２，４を、他方の対峙する壁部２，４あるいは３，５の内方に配置させることで、その他方の壁部２，４あるいは３，５の外方からの押圧作用に対して容器を保形させて歪形させない。
また、折込規制片１４は、外部折畳片６，７，８，９が接着されていないところの他方の対峙する壁部２，４あるいは３，５の上縁から容器内方に折り込まれるよう連設されていることで、一方の対峙する壁部３，５あるいは２，４の内方で容器を保形し、外部折畳片６，７，８，９が接着されているところの一方の対峙する壁部３，５あるいは２，４の外方からの押圧作用によっても容器を撓ませず、容器形状を維持させる。
【考案の効果】
【００１０】
この考案は以上説明したように構成されているため、シート状素材によって形成される蓋付きのボックス状容器内で、容器に収納した食品Ｆ等を電子レンジ機器によって加熱でき、この調理直後で周囲で囲繞している各壁部２，３，４，５が熱くなっていても、これらの各壁部２，３，４，５に直接触れることなく摘み片１０によって持ち上げ、例えば電子レンジ機器内から安全に取り出すことができ、しかも、壁部２，３，４，５のいずれであっても外方からの押圧外力、例えば手指によって挟持する押圧作用によっても容器自体が内方に撓むことがなく、その外形が維持できることで容易に取り扱うことができる。
【００１１】
すなわちこれはこの考案において、底壁部１の周囲で囲繞するところのいずれか一方の対峙する壁部（３，５）の外側面に接着した外部折畳片６，７，８，９における他方の折畳部分である折畳外側片部６ｂ，７ｂ，８ｂ，９ｂに、容器本体の外側方に延びる摘み片１０を折返し可能にして設けたからであり、また、外部折畳片６，７，８，９が接着されないで対峙しているいずれか他方の壁部（２，４）それぞれには、外部折畳片６，７，８，９が接着されることで対峙している前記いずれか一方の壁部（３，５）から連設されて開口部を覆う蓋片１５が被せられ、また、このいずれか一方の壁部（３，５）の内側面に片縁が当接するよう容器内方に折り込まれる折込規制片１４を連設したからである。
【００１２】
また、摘み片１０を、底壁部１の周囲で立脚状に囲繞しているところの対峙するいずれか一方の壁部３，５あるいは２，４の外側面に接着する二つ折りされた外部折畳片６，７，８，９における折畳外側片部６ｂ，７ｂ，８ｂ，９ｂの先端部分を折返し状に折曲することで、容器自体の本体部分から外側方に延びるように形成してあるから、電子レンジ機器で食品Ｆを容器と共に加熱することで、容器自体が熱くなっていても、摘み片１０自体は熱くならず、これを手指で容易に把持することができる。そのため、従来のように容器の本体部分に直接に触れることなく容器を持ち上げることができ、加熱直後で熱くなっている容器であってもこれを安全に取り扱うことができ、火傷等を負うことがない。ちなみに、２００ｃｃの水を容器内に入れ、１０００Ｗの容量の電子レンジ機器で加熱したところ、壁部２，３，４，５では８５℃、外部折畳片６，７，８，９自体では６５℃であっても、この摘み片１０では５０℃以下であり、手指で直接に触れることは全く問題がなかった。
【００１３】
また、折込規制片１４を、外部折畳片６，７，８，９が接着されないで対峙しているいずれか他方の壁部（２，４）それぞれから連設して形成してあり、しかも、外部折畳片６，７，８，９が接着されることで対峙しているいずれか一方の壁部（３，５）から連設されて開口部を覆う蓋片１５が被せられ、この一方の壁部（３，５）の内側面に片縁が当接するよう容器内方に折り込まれるようにして形成してあるから、この一方の壁部（３，５）の外方からの押圧作用が負荷されても、この壁部（３，５）を容器内方に撓ませることがなく、容器の外形状をそのままで維持できる。しかも、この折込規制片１４は壁部（２，４）から容器内方に折り込まれるように単に連設されているから、構造的に簡素であり、組立も容易であって面倒な手間が掛からない。したがって、外部折畳片６，７，８，９が接着されていないところの壁部（２，４）は、外部折畳片６，７，８，９が接着されているところの壁部（３，５）によって容器内方で支持されていることと相俟ち、容器全体の外形状が維持されることで、四方からの外力の付加によっても各壁部２，３，４，５が容器内方に撓むことがなく、容器自体を容易に取り扱うことができる。
【００１４】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１５】
【図１】この考案を実施するための一形態を示す手指によって持ち上げ支持するときの斜視図である。
【図２】同じく紙製容器の開放時の斜視図である。
【図３】同じく容器原紙の展開図である。
【図４】同じく例えば喫食時に開放するときの斜視図である。
【図５】同じく従来例において、紙製容器の開放時に外力が加えられたときの斜視図である。
【図６】同じく従来例の他例において、折込片部位の容器内方への撓みを防止するよう強化した容器の斜視図である。
【考案を実施するための形態】
【００１６】
以下、図面を参照してこの考案を実施するための一形態を説明すると、図において示される符号１は平面でほぼ矩形状を呈する底壁部であり、この底壁部１の周囲である４辺位置には、周囲を囲繞するように、底壁部１との間で形成される折り線を介して前後壁部２，４、左右壁部３，５それぞれが連設されている。そして、互いに隣接する前壁部２、左壁部３、後壁部４、右壁部５それぞれ相互間には、折り畳まれて相互に接合されると共に、例えば左右壁部３，５の外側面に接着される計４枚の外部折畳片６，７，８，９を連設してある。尚、前後壁部２，４、左右壁部３，５それぞれは、底壁部１から開口部に至るに伴い次第に広幅となる逆台形状を呈し、底壁部１の周囲で立脚状に立ち上がった前後壁部２，４、左右壁部３，５によって開口部側が大きく開口された逆台形状のボックス容器として構成され、壁部（３，５）から連設された後述の蓋片１５によって開口部が閉塞されるようにしてある。
【００１７】
すなわち、ボックス状の紙製容器として構成されるよう、図３に示されるように中央に配置した底壁部１の前後左右の４辺の周囲に前壁部２、左壁部３、後壁部４、右壁部５それぞれを連設すると共に、これらの各壁部２，…の相互間に外部折畳片６，…を連設し、また、後述する蓋片１５、折込規制片１４らが壁部２，…の上縁から連設された形態で、少なくとも内側面では耐油性、耐水性等を備えるよう所定の処理が施された適宜肉厚のシート状材によって一体状に形成されている。尚、このシート状材は、板紙材、電子レンジ機器による加熱によっても損傷しない耐熱性あるプラスチックフィルム材、紙とプラスチックフィルムとの積層構成材、ラミネート処理材、空隙を備えた中間層を有する３層状の積層構成材等によって形成されており、各種食品Ｆを収納するに適した電子レンジ機器による加熱が可能な素材によって形成される。
【００１８】
外部折畳片６，７，８，９は、隣接する各壁部２，３，４，５相互間で、各壁部２，３，４，５の周方向における側辺を近接させるものとして、底壁部１側を基点として外部折畳片６，７，８，９自体に形成された中央折込線によって、半折り三角形状の片部である折畳内側接着片部６ａ，７ａ，８ａ，９ａ、折畳外側片部６ｂ、７ｂ、８ｂ、９ｂに区画されている。そして、半折り三角形状の片部である一方の折畳部分である折畳内側接着片部６ａ，７ａ，８ａ，９ａと、他方の折畳部分である折畳外側片部６ｂ、７ｂ、８ｂ、９ｂ相互を重ね合わせることで容器外で二つ折りされ、二つ折りされた外部折畳片６，７，８，９自体における、例えば左右壁部３，５側の一方の折畳部分である前記折畳内側接着片部６ａ，７ａ，８ａ，９ａの外側面部位を左右壁部３，５の外側面に接着剤等によって接着固定することでボックス状に組み立てさせる。
【００１９】
尚、外部折畳片６，７，８，９それぞれにおける折畳内側接着片部６ａ，７ａ，８ａ，９ａ、折畳外側片部６ｂ、７ｂ、８ｂ、９ｂそれぞれの内側面相互間では接着されておらず、互いに離反可能な状態で折り込み状に当接されている。
【００２０】
この外部折畳片６，７，８，９における左右壁部３，５の外側面に直接には接着されていない半折り三角形状の他方の折畳部分である折畳外側片部６ｂ、７ｂ、８ｂ、９ｂには、この考案紙製容器の外側方に延びるようになっている摘み片１０を折曲形成してある。この摘み片１０は、図示のように、紙製容器自体における底壁部１の中央位置を中心とした平面での前後あるいは左右の対称位置で対となる折畳外側片部７ｂ，９ｂあるいは６ｂ，８ｂの少なくともいずれか一方で折曲形成してある。図示にあっての摘み片１０は、前記の他方の折畳外側片部６ｂ，７ｂ，８ｂ，９ｂの先端部分を、外部折畳片６，７，８，９が連設されている前後壁部２，４、すなわち前壁部２における右壁部５との境界である側縁の上端位置、後壁部４における左壁部３との境界である側縁の上端位置それぞれを通り、前記の一方の折畳部分である折畳内側接着片部６ａ，７ａ，８ａ，９ａとの境界に至る折返し線１１によって外方に折り曲げる区域として形成されている（図３参照）。
【００２１】
この摘み片１０は、手指によって容易に把持できるように容器自体の上方にやや延びるように、前記折畳内側接着片部６ａ，７ａ，８ａ，９ａの上縁位置に比し上方に位置する突部状に例えば山形状ないし三角形状の上縁を有していて、この折畳内側接着片部６ａ，７ａ，８ａ，９ａとは外観的にも異なる形状としてある。摘み片１０自体は、折返し線１１によって容器の外側方に延びるように折り返され、容器自体の本体部分から可能な限り離れるようになっていることが望ましく、容器自体の本体部分から離れることで、加熱されて高い温度となっている容器本体部分の熱の影響を受けずに、手指によって把持可能になるようにしている。
【００２２】
また、外部折畳片６，７，８，９が接着されて対峙しているところの壁部それぞれ、図示にあっては左右壁部３，５それぞれには、容器自体の開口部を閉塞するよう互いに噛み合う対状の蓋片１５が連設されている。この蓋片１５は、例えば容器自体の開口部のほぼ半ば位置で相互に噛み合うようにした切り込み状の噛み合い部１６を先端縁のほぼ中央位置に有しており、噛み合い部１６の噛み合いによって開口部を左右から閉塞できるようにしてある。
【００２３】
一方、外部折畳片６，７，８，９が接着されずに対峙しているところの壁部それぞれ、図示にあっては前後壁部２，４それぞれには、この前後壁部２，４の上縁から容器内方に折り込まれて、左右壁部３，５内側面に両側の片縁が当接する折込規制片１４が対状にして連設されている。この折込規制片１４は、外部折畳片６，７，８，９が接着される、例えば左右壁部３，５をこれの外側方から容器内方に向かって手指等で押圧したとき、左右壁部３，５の内側面に片縁が当接し、左右壁部３，５面がいわば突き当てられるようになって左右壁部３，５相互間で突っ張り状となることで、左右壁部３，５それぞれが容器内方に撓まず、進入しないようにしている。折込規制片１４自体は、左右壁部３，５による容器外方からの押圧力に十分に耐えてこれを支持するよう、容易には歪形しない程度の所定幅員の帯状を呈することで形成されていて、前後壁部２，４の上縁から折込線を介して連設される。
【００２４】
次にこれの組立の一例を説明すると、図３に示すような展開形態で作成された組立用の容器原紙を用意しておき、底壁部１の周囲で前後壁部２，４、左右壁部３，５を折曲しながら立ち上げると共に、各壁部２，３，４，５相互間に配置の外部折畳片６，７，８，９の中央折込線にて外部折畳片６，７，８，９自体を容器外方に突出するように折り畳み、その一方の折畳内側接着片部６ａ，７ａ，８ａ，９ａを左右壁部３，５の外側面に対状に接着固定することでボックス状の容器として組み立てる。次いで、電子レンジ機器による加熱が可能な所定の食品Ｆを収納し、折込規制片１４を容器内方に折り込み、折込規制片１４上に被せるようにして左右から蓋片１５を折り畳み、その噛み合い部１６によって互いに噛み合わせて容器を閉塞する。その後、適宜に包装された状態で例えばコンビニエンスストア、スーパーマーケット等で陳列販売される。
【００２５】
購入後で喫食するに際し、包装を開披して電子レンジ機器にて加熱すれば良く、その加熱終了後に取り出すときには、容器の外方に折り返した摘み片１０にて、この摘み片１０は容器本体が高温度で加熱されていても容器本体とは若干でも離れていることで熱くはなっていないことで、この摘み片１０によって把持して行えば良い。また、外部折畳片６，７，８，９が接着されている左右壁部３，５をこれの外方から押圧しても、例えば容器自体を把持すべく手指にて挟み込むように持ち上げても、容器内で折込規制片１４が左右壁部３，５を内方から支持して容器の内方に撓ませないことで、容器自体をしっかりと持つことができ、喫食も容易にする。
【００２６】
尚、場合によっては、外部折畳片６，７，８，９を各壁部（３，５）から剥離した後、それぞれの折畳内側接着片部６ａ，７ａ，８ａ，９ａ、折畳外側片部６ｂ，７ｂ，８ｂ，９ｂをも剥離することで、図３に示すように容器全体を開放した展開形状となして、喫食することも可能である。
【符号の説明】
【００２７】
Ｆ…食品
１…底壁部                              ２…前壁部
３…左壁部                              ４…後壁部
５…右壁部
６，７，８，９…外部折畳片
６ａ，７ａ，８ａ，９ａ…折畳内側接着片部
６ｂ，７ｂ，８ｂ，９ｂ…折畳外側片部
１０…摘み片                            １１…折返し線
１４…折込規制片                        １５…蓋片
１６…噛み合い部
１０１…前後壁                          １０２…左右壁
１０３…折込片                          １０４…蓋片
１０５…把手部                          １０６…切込片
【図１】
0003176852.tif 000003
【図２】
0003176852.tif 000004
【図３】
0003176852.tif 000005
【図４】
0003176852.tif 000006
【図５】
0003176852.tif 000007
【図６】
0003176852.tif 000008